Podtech/llm-jp-corpus-v4-ja_patent huggingface dataset:
【手続補正書】
【提出日】令和3年11月16日(2021.11.16)
【手続補正１】
【補正対象書類名】特許請求の範囲
【補正対象項目名】全文
【補正方法】変更
【補正の内容】
【特許請求の範囲】
【請求項１】
投入口から投入された遊技媒体が通過する通路中に設けられ、遊技媒体を検知し得る検知手段Ａ、検知手段Ｂ、及び検知手段Ｃ（検知手段Ｂは、検知手段Ａより下流側に位置し、検知手段Ｃは検知手段Ｂより下流側に位置する）を備え、
ベット数が「３」であり、クレジット数が所定値（所定値はクレジット数の上限値未満の値）である状況にて、投入口から遊技媒体が投入される場合において、当該遊技媒体に対する検知手段Ａと検知手段Ｂの検知結果が所定条件を満たすと、クレジット数に「１」を加算し得るよう構成されており、
ベット数が「３」であり、クレジット数が所定値（所定値はクレジット数の上限値未満の値）である状況にて、電源の供給が遮断される事象が発生した時から、当該電源の供給が遮断される事象を検知し、電源断処理を実行する時までの期間の設計値をＴ１とし、
ベット数が「３」であり、クレジット数が所定値（所定値はクレジット数の上限値未満の値）である状況にて、投入口から遊技媒体が投入される場合において、当該遊技媒体を検知手段Ａが検知した時から、当該遊技媒体を検知手段Ｂが検知して当該遊技媒体を検知手段Ａが検知しなくなり当該遊技媒体を検知手段Ｂが検知しなくなった時までの期間の設計値をＴ２とし、
ベット数が「３」であり、クレジット数が所定値（所定値はクレジット数の上限値未満の値）である状況にて、投入口から遊技媒体が投入される場合において、当該遊技媒体を検知手段Ｂが検知しなくなった時から、当該遊技媒体を検知手段Ｃが検知した時までの期間の設計値をＴ３としたとき、
Ｔ１＜Ｔ２となっており、
Ｔ１＜Ｔ３となっており、
前扉が閉鎖しており、且つリセットスイッチが押下されている所定の状況ではスタートスイッチの操作が有効となっている遊技機。
【手続補正２】
【補正対象書類名】明細書
【補正対象項目名】０００５
【補正方法】変更
【補正の内容】
【０００５】
本態様に係る遊技機は、
投入口から投入された遊技媒体が通過する通路中に設けられ、遊技媒体を検知し得る検知手段Ａ、検知手段Ｂ、及び検知手段Ｃ（検知手段Ｂは、検知手段Ａより下流側に位置し、検知手段Ｃは検知手段Ｂより下流側に位置する）を備え、
ベット数が「３」であり、クレジット数が所定値（所定値はクレジット数の上限値未満の値）である状況にて、投入口から遊技媒体が投入される場合において、当該遊技媒体に対する検知手段Ａと検知手段Ｂの検知結果が所定条件を満たすと、クレジット数に「１」を加算し得るよう構成されており、
ベット数が「３」であり、クレジット数が所定値（所定値はクレジット数の上限値未満の値）である状況にて、電源の供給が遮断される事象が発生した時から、当該電源の供給が遮断される事象を検知し、電源断処理を実行する時までの期間の設計値をＴ１とし、
ベット数が「３」であり、クレジット数が所定値（所定値はクレジット数の上限値未満の値）である状況にて、投入口から遊技媒体が投入される場合において、当該遊技媒体を検知手段Ａが検知した時から、当該遊技媒体を検知手段Ｂが検知して当該遊技媒体を検知手段Ａが検知しなくなり当該遊技媒体を検知手段Ｂが検知しなくなった時までの期間の設計値をＴ２とし、
ベット数が「３」であり、クレジット数が所定値（所定値はクレジット数の上限値未満の値）である状況にて、投入口から遊技媒体が投入される場合において、当該遊技媒体を検知手段Ｂが検知しなくなった時から、当該遊技媒体を検知手段Ｃが検知した時までの期間の設計値をＴ３としたとき、
Ｔ１＜Ｔ２となっており、
Ｔ１＜Ｔ３となっており、
前扉が閉鎖しており、且つリセットスイッチが押下されている所定の状況ではスタートスイッチの操作が有効となっている遊技機である。
＜付記＞
尚、本態様とは異なる別態様について以下に列記しておくが、これらには何ら限定されることなく実施することが可能である。
本別態様に係る遊技機は、
複数のリールと、
開閉可能な前扉と、
複数のストップスイッチと、
内部抽せん手段と、
リールを制御するリール制御手段と、
遊技の進行を制御する主遊技部と、
演出を表示可能な演出表示部と、
演出を制御する副遊技部と
を備え、
主遊技部は、
遊技の開始に係るリールが回転開始する第１のタイミングで、リール回転開始コマンドを副遊技部側に送信可能であり、
ストップスイッチの操作が受け付けられた第２のタイミングで、停止コマンドを副遊技部側に送信可能であり、
副遊技部は、
ストップスイッチの操作を促す停止示唆画像を演出表示部に表示可能であり、
前記リール回転開始コマンドを受信してから、前記停止コマンドを受信していない状況において所定時間が経過すると、停止示唆画像を表示可能であり、
前記リール回転開始コマンドを受信してから、前記停止コマンドを受信していない状況において、前記リール回転開始コマンドの受信から前記所定時間の経過前に所定の復帰可能エラーが発生し、その後当該所定の復帰可能エラーが発生しているまま前記リール回転開始コマンドの受信から前記所定時間が経過したタイミングでは、停止示唆画像が表示されず、ストップスイッチが操作されると当該操作を受け付け可能に構成されており、
前記リール回転開始コマンドを受信してから、前記停止コマンドを受信していない状況において前記所定時間が経過すると、停止示唆画像を表示可能であり、当該停止示唆画像が表示されている状況にて、リールへの所定の回転不良が発生し、当該所定の回転不良が発生している状況にてストップスイッチが操作されても、当該操作を受け付けずに当該停止示唆画像の表示を継続可能に構成されている
ことを特徴とする遊技機である。
【手続補正書】
【提出日】令和3年11月16日(2021.11.16)
【手続補正１】
【補正対象書類名】特許請求の範囲
【補正対象項目名】全文
【補正方法】変更
【補正の内容】
【特許請求の範囲】
【請求項１】
投入口から投入された遊技媒体が通過する通路中に設けられ、遊技媒体を検知し得る検知手段Ａ、検知手段Ｂ、及び検知手段Ｃ（検知手段Ｂは、検知手段Ａより下流側に位置し、検知手段Ｃは検知手段Ｂより下流側に位置する）を備え、
ベット数が「３」であり、クレジット数が所定値（所定値はクレジット数の上限値未満の値）である状況にて、投入口から遊技媒体が投入される場合において、当該遊技媒体に対する検知手段Ａと検知手段Ｂの検知結果が所定条件を満たすと、クレジット数に「１」を加算し得るよう構成されており、
ベット数が「３」であり、クレジット数が所定値（所定値はクレジット数の上限値未満の値）である状況にて、電源の供給が遮断される事象が発生した時から、当該電源の供給が遮断される事象を検知し、電源断処理を実行する時までの期間の設計値をＴ１とし、
ベット数が「３」であり、クレジット数が所定値（所定値はクレジット数の上限値未満の値）である状況にて、投入口から遊技媒体が投入される場合において、当該遊技媒体を検知手段Ａが検知した時から、当該遊技媒体を検知手段Ｂが検知して当該遊技媒体を検知手段Ａが検知しなくなり当該遊技媒体を検知手段Ｂが検知しなくなった時までの期間の設計値をＴ２とし、
ベット数が「３」であり、クレジット数が所定値（所定値はクレジット数の上限値未満の値）である状況にて、投入口から遊技媒体が投入される場合において、当該遊技媒体を検知手段Ｂが検知しなくなった時から、当該遊技媒体を検知手段Ｃが検知した時までの期間の設計値をＴ３としたとき、
Ｔ１＜Ｔ２となっており、
Ｔ１＜Ｔ３となっており、
前扉が閉鎖しており、且つリセットスイッチが押下されている所定の状況では停止スイッチの操作が有効となっている遊技機。
【手続補正２】
【補正対象書類名】明細書
【補正対象項目名】０００５
【補正方法】変更
【補正の内容】
【０００５】
本態様に係る遊技機は、
投入口から投入された遊技媒体が通過する通路中に設けられ、遊技媒体を検知し得る検知手段Ａ、検知手段Ｂ、及び検知手段Ｃ（検知手段Ｂは、検知手段Ａより下流側に位置し、検知手段Ｃは検知手段Ｂより下流側に位置する）を備え、
ベット数が「３」であり、クレジット数が所定値（所定値はクレジット数の上限値未満の値）である状況にて、投入口から遊技媒体が投入される場合において、当該遊技媒体に対する検知手段Ａと検知手段Ｂの検知結果が所定条件を満たすと、クレジット数に「１」を加算し得るよう構成されており、
ベット数が「３」であり、クレジット数が所定値（所定値はクレジット数の上限値未満の値）である状況にて、電源の供給が遮断される事象が発生した時から、当該電源の供給が遮断される事象を検知し、電源断処理を実行する時までの期間の設計値をＴ１とし、
ベット数が「３」であり、クレジット数が所定値（所定値はクレジット数の上限値未満の値）である状況にて、投入口から遊技媒体が投入される場合において、当該遊技媒体を検知手段Ａが検知した時から、当該遊技媒体を検知手段Ｂが検知して当該遊技媒体を検知手段Ａが検知しなくなり当該遊技媒体を検知手段Ｂが検知しなくなった時までの期間の設計値をＴ２とし、
ベット数が「３」であり、クレジット数が所定値（所定値はクレジット数の上限値未満の値）である状況にて、投入口から遊技媒体が投入される場合において、当該遊技媒体を検知手段Ｂが検知しなくなった時から、当該遊技媒体を検知手段Ｃが検知した時までの期間の設計値をＴ３としたとき、
Ｔ１＜Ｔ２となっており、
Ｔ１＜Ｔ３となっており、
前扉が閉鎖しており、且つリセットスイッチが押下されている所定の状況では停止スイッチの操作が有効となっている遊技機である。
＜付記＞
尚、本態様とは異なる別態様について以下に列記しておくが、これらには何ら限定されることなく実施することが可能である。
本別態様に係る遊技機は、
ベットボタンと、
所定のエラー状態を解除可能なエラーリセットボタンと、
エラーリセットボタンのオン・オフを検出可能なエラーリセットボタンセンサと、
内部抽せん手段と
を備え、
エラーリセットボタンがオンである状況においては、ベットボタンの操作の受け付けが無効となるよう構成されている
ことを特徴とする遊技機である。
【手続補正書】
【提出日】令和3年11月26日(2021.11.26)
【手続補正１】
【補正対象書類名】特許請求の範囲
【補正対象項目名】全文
【補正方法】変更
【補正の内容】
【特許請求の範囲】
【請求項１】
可変表示を行い、遊技者にとって有利な有利状態に制御可能な遊技機であって、
可変表示に関する情報を保留記憶として記憶可能な保留記憶手段と、
前記有利状態と異なる特殊状態に制御可能な特殊状態制御手段と、
非特別状態よりも前記特殊状態に制御される頻度が高い特別状態に制御可能な特別状態制御手段と、
前記特別状態において、前記特殊状態に制御されることに対応する保留記憶があることを事前に示唆する事前示唆演出を実行可能な事前示唆演出実行手段と、
前記事前示唆演出が実行されたことにもとづいて、前記特殊状態に制御される回数を示唆する回数示唆演出を実行可能な回数示唆演出実行手段と、
前記回数示唆演出において示唆される前記特殊状態に制御される回数に対応した特定表示を表示可能な特定表示手段と、
前記非特別状態と前記特別状態とで共通の演出態様を含む特別演出を実行可能な特別演出実行手段と、を備え、
前記特定表示手段は、前記特殊状態に制御されると、前記特殊状態に制御されたことに対応して前記特定表示を変化させ、
前記事前示唆演出実行手段は、前記事前示唆演出として、第１事前示唆演出と、該第１事前示唆演出と異なる第２事前示唆演出と、を実行可能であり、
前記回数示唆演出実行手段は、
前記特殊状態に第１回数制御されることを示唆する第１パターンと、前記特殊状態に前記第１回数よりも多い第２回数制御されることを示唆する第２パターンと、で前記回数示唆演出を実行可能であり、
前記特定表示によって示唆される前記特殊状態に制御される回数が少ない場合、前記特定表示によって示唆される前記特殊状態に制御される回数が多い場合よりも高い割合で前記回数示唆演出を実行可能であり、
前記事前示唆演出として前記第２事前示唆演出が実行された場合に、前記第１パターンの前記回数示唆演出より前記第２パターンの前記回数示唆演出を高い割合で実行する、
ことを特徴とする遊技機。
【手続補正２】
【補正対象書類名】明細書
【補正対象項目名】００１０
【補正方法】変更
【補正の内容】
【００１０】
（Ａ）可変表示を行い、遊技者にとって有利な有利状態に制御可能な遊技機であって、
可変表示に関する情報を保留記憶として記憶可能な保留記憶手段と、
前記有利状態とは異なる特殊状態に制御可能な特殊状態制御手段と、
非特別状態よりも前記特殊状態に制御される頻度が高い特別状態に制御可能な特別状態制御手段と、
前記特別状態において、前記特殊状態に制御されることに対応する保留記憶があることを事前に示唆する事前示唆演出を実行可能な事前示唆演出実行手段と、
前記事前示唆演出が実行されたことにもとづいて、前記特殊状態に制御される回数を示唆する回数示唆演出を実行可能な回数示唆演出実行手段と、
前記回数示唆演出において示唆される前記特殊状態に制御される回数に対応した特定表示を表示可能な特定表示手段と、
前記非特別状態と前記特別状態とで共通の演出態様を含む特別演出を実行可能な特別演出実行手段と、を備え、
前記特定表示手段は、前記特殊状態に制御されると、前記特殊状態に制御されたことに対応して前記特定表示を変化させ、
前記事前示唆演出実行手段は、前記事前示唆演出として、第１事前示唆演出と、該第１事前示唆演出と異なる第２事前示唆演出と、を実行可能であり、
前記回数示唆演出実行手段は、
前前記特殊状態に第１回数制御されることを示唆する第１パターンと、前記特殊状態に前記第１回数よりも多い第２回数制御されることを示唆する第２パターンと、で前記回数示唆演出を実行可能であり、
前記特定表示によって示唆される前記特殊状態に制御される回数が少ない場合、前記特定表示によって示唆される前記特殊状態に制御される回数が多い場合よりも高い割合で前記回数示唆演出を実行可能であり、
前記事前示唆演出として前記第２事前示唆演出が実行された場合に、前記第１パターンの前記回数示唆演出より前記第２パターンの前記回数示唆演出を高い割合で実行する、
ことを特徴とする遊技機。
（手段１）本発明による遊技機は、可変表示を行い、遊技者にとって有利な有利状態（例えば、大当り遊技状態）に制御可能な遊技機であって、可変表示に関する情報を保留記憶として記憶可能な保留記憶手段（例えば、第１保留記憶バッファ、第２保留記憶バッファ）と、有利状態とは異なる特殊状態（例えば、小当り遊技状態）に制御可能な特殊状態制御手段（例えば、遊技制御用マイクロコンピュータ１００におけるステップＳ１２６〜Ｓ１２８を実行する部分）と、非特別状態（例えば、低確率／低ベース状態（通常状態））よりも特殊状態に制御される頻度が高い特別状態（例えば、高確率／低ベース状態（第２ＫＴ状態））に制御可能な特別状態制御手段（例えば、遊技制御用マイクロコンピュータ１００におけるステップ０７６ＩＷＳ２２０５，Ｓ２２０６を実行する部分）と、特別状態において、特殊状態に制御されることに対応する保留記憶があることを事前に示唆する事前示唆演出（例えば、図９−５５（Ｆ）、図９−５６（Ｆ）および図９−５７（Ｆ）に示す小当り事前示唆演出）を実行可能な事前示唆演出実行手段（例えば、演出制御用ＣＰＵ１２０におけるステップ０７６ＩＷＳ９３０で小当り事前示唆演出に応じたプロセステーブルを選択してステップ０７６ＩＷＳ９３２，Ｓ８１０５を実行する部分。ステップ０
７６ＩＷＳ８１１６を実行する部分。）と、事前示唆演出が実行されたことにもとづいて、特殊状態に制御される回数を示唆する回数示唆演出（例えば、図９−５５（Ｇ）、図９−５６（Ｇ）および図９−５７（Ｇ）に示す小当り回数示唆演出）を実行可能な回数示唆演出実行手段（例えば、演出制御用ＣＰＵ１２０におけるステップ０７６ＩＷＳ８１２５を実行する部分）と、回数示唆演出において示唆される特殊状態に制御される回数に対応した特定表示（例えば、ゲージ表示０７６ＩＷ０２１）を表示可能な特定表示手段（例えば、演出制御用ＣＰＵ１２０におけるステップ０７６ＩＷＳ８１２６を実行する部分）と、を備え、特定表示手段は、特殊状態に制御されると、特殊状態に制御されたことに対応して特定表示を変化させ（例えば、演出制御用ＣＰＵ１２０は、ステップ０７６ＩＷＳ９７２４を実行する）、回数示唆演出実行手段は、回数示唆演出の実行パターンとして、少なくとも、特殊状態に第１回数（例えば、２回や３回）制御されることを示唆する第１パターン（例えば、「小当り＋２回！」や「小当り＋３回！」などの文字表示を表示）と、特殊状態に第１回数よりも多い第２回数（例えば、４回）制御されることを示唆する第２パターン（例えば、「小当り＋４回！」などの文字表示を表示）と、で回数示唆演出を実行可能であり、特定表示によって示唆される特殊状態に制御される回数が少ない場合、特定表示によって示唆される特殊状態に制御される回数が多い場合よりも高い割合で回数示唆演出を実行可能であることを特徴とする。そのような構成によれば、状況に応じた報知を実行することにより、遊技に対する興趣を向上させることができるとともに、特別状態中の演出パターンを多様化することができるので、特別状態に制御される期間に関する演出を改善し、遊技に対する興趣を向上させることができる。
【手続補正書】
【提出日】令和3年11月22日(2021.11.22)
【手続補正１】
【補正対象書類名】特許請求の範囲
【補正対象項目名】全文
【補正方法】変更
【補正の内容】
【特許請求の範囲】
【請求項１】
超音波検査装置であって、
超音波を発する超音波発信部と、前記超音波発信部が発信した発信超音波が人体内で反射した超音波である反射超音波を受信する複数の超音波受信部と、を有する超音波センサ部と、
前記複数の超音波受信部が受信した複数の前記反射超音波の強度、又は当該反射超音波に基づくドップラー信号の強度に基づいて前記超音波検査装置を動かすべき位置に関する内容のテキストデータを含む表示用データを生成する表示データ生成部と、
前記表示用データに対応する情報を表示する表示部と、
を有する超音波検査装置。
【請求項２】
前記表示データ生成部は、前記複数の超音波受信部のうち、前記超音波検査装置の右側に配置された前記超音波受信部が受信した前記反射超音波、又は当該反射超音波に基づくドップラー信号の強度が相対的に大きい場合に、右側に移動することを推奨する内容の前記テキストデータを含む前記表示用データを生成する、
請求項１に記載の超音波検査装置。
【請求項３】
前記表示データ生成部は、前記複数の超音波受信部が受信した前記複数の反射超音波の強度が所定の値以上であり、かつ前記複数の反射超音波の強度のばらつきが所定の範囲内である場合に、前記超音波検査装置の位置が適正であることを示す前記表示用データを生成する、
請求項１又は２に記載の超音波検査装置。
【請求項４】
前記表示データ生成部は、前記複数の超音波受信部が受信した前記複数の反射超音波に基づく複数のドップラー信号の強度が所定の値以上であり、かつ前記複数のドップラー信号の強度のばらつきが所定の範囲内である場合に、前記超音波検査装置の位置が適正であることを示す前記表示用データを生成する、
請求項１から３のいずれか一項に記載の超音波検査装置。
【手続補正書】
【提出日】令和3年11月22日(2021.11.22)
【手続補正１】
【補正対象書類名】特許請求の範囲
【補正対象項目名】全文
【補正方法】変更
【補正の内容】
【特許請求の範囲】
【請求項１】
超音波を発信する超音波発信部と、前記超音波発信部が発信した発信超音波が人体内で反射した超音波である反射超音波を受信する超音波受信部と、を有する超音波センサ部と、
前記発信超音波の周波数と前記反射超音波の周波数との差に基づくドップラー信号を生成するドップラー信号生成部と、
前記ドップラー信号に対応する音信号を生成する音信号生成部と、
前記音信号を出力するスピーカと、
前記超音波センサ部、前記ドップラー信号生成部、前記音信号生成部及び前記スピーカを収容する筐体と、
を有し、
前記筐体の前記人体に接触する側と反対側の面における、上面視した状態の前記筐体の中央位置を含まない領域に、前記スピーカが出力する前記音信号を外部に放出する開口が設けられている超音波検査装置。
【請求項２】
前記筐体の前記人体に接触する側と反対側における前記開口よりも前記中央位置に近い位置に突起部が設けられている、
請求項１に記載の超音波検査装置。
【請求項３】
上面視した状態の前記筐体は、前記突起部に対して第１の側に、前記突起部に対して前記第１の側と反対側の第２の側の幅よりも大きな幅の領域を有する、
請求項２に記載の超音波検査装置。
【請求項４】
前記開口は、上面視した状態の前記筐体における前記第１の側と前記第２の側とを結ぶ方向に直交する方向における幅が最も大きい位置を含む領域に形成されている、
請求項３に記載の超音波検査装置。
【手続補正書】
【提出日】令和3年11月27日(2021.11.27)
【手続補正１】
【補正対象書類名】特許請求の範囲
【補正対象項目名】全文
【補正方法】変更
【補正の内容】
【特許請求の範囲】
【請求項１】
中央に筒状ベースを有するとともに，筒状ベース上に巻きまわされたテーピングテープを保持するためのテーピングテープ用ホルダーであって，
前記筒状ベースの筒を挿通する挿通棒と，
挿通棒の両端部に少なくとも一方は着脱自在に配置されテーピングテープの側面を倣わせ，少なくとも対応する位置に机上載置用直線部を有する相互に平行配置される一対の鍔と，
前記一方の鍔に前記筒中心軸と平行に立設され，相互の間からテーピングテープを引き出すための一対の引出部材と，
前記引出部材が立設された鍔と別の鍔に設けられる前記一対の引出部材を挿通固定するための引出部材挿通孔と，を有し、
前記一対の引出部材の少なくとも一方は，この一対の引出部材によって構成される隙間に向けたテーピングテープ切断刃を有するテーピングテープ用ホルダー。
【請求項２】
前記テーピングテープ切断刃は，凸曲面状である請求項１に記載のテーピングテープ用ホルダー。
【請求項３】
前記机上載置用直線部に対向する鍔の領域には前記机上載置用直線部と略平行な鍔押下用直線部を有する請求項１又は２に記載のテーピングテープ用ホルダー。
【請求項４】
前記鍔の前記一対の引出部材側上部には，テーピングテープ引出時の転がりを阻止するために部材をあてがって係止するための係止部を有する請求項１から請求項３のいずれか一に記載のテーピングテープ用ホルダー。
【請求項５】
前記着脱自在に配置される鍔は央にねじ挿通孔を有し，
前記挿通棒は，端面に前記ねじ挿通孔に挿通するための鍔固定ねじを立設し，前記鍔のねじ挿通孔に前記鍔固定ねじを挿通した状態で前記鍔を前記挿通棒にねじ止め固定するためのねじキャップを有する
請求項１から請求項４のいずれか一に記載のテーピングテープ用ホルダー。
【請求項６】
前記鍔のうち，前記挿通棒と着脱自在に構成されない側の鍔が，他の挿通棒と着脱自在に構成されないで着脱自在に構成されている他の鍔と同様にさらに他の鍔と一対をなすように構成されている請求項１から請求項５のいずれか一に記載のテーピングテープ用ホルダー。
【請求項７】
テーピングテープと，請求項１から請求項６のいずれか一に記載のテーピングテープ用ホルダーとからなるテーピングテープシステム。
【手続補正書】
【提出日】令和3年11月16日(2021.11.16)
【手続補正１】
【補正対象書類名】特許請求の範囲
【補正対象項目名】全文
【補正方法】変更
【補正の内容】
【特許請求の範囲】
【請求項１】
スタートスイッチの操作に基づき、当選役の当否を決定する当選種別抽選手段と、
前記スタートスイッチの操作に応じて、複数種類の図柄がそれぞれ配列された複数のリールを回転制御し、回転しているリールに対応するストップスイッチの操作に応じ、前記当選種別抽選手段の抽選結果に基づいて、操作された前記ストップスイッチに対応するリールをそれぞれ停止制御するリール制御手段と、
第１の特典、および、前記第１の特典よりも遊技者にとって特典が大きい第２の特典を付与する特典付与手段と、
遊技の進行に応じて演出の実行を決定し、決定した演出を実行する演出実行手段と、
を備え、
前記特典付与手段は、
所定の条件を満たすとカウントされるカウンタ値が特定値に到達すると、所定の特典を遊技者に付与し、
前記演出実行手段は、
前記第１の特典または前記第２の特典が付与される場合、前記第１の特典または前記第２の特典が付与されることを示唆する特定演出を実行し、
前記カウンタ値が前記特定値よりも前に到達する所定値に到達すると、前記第１の特典が付与される場合に前記特定演出の実行頻度を減らし、前記第２の特典が付与される場合に前記特定演出を実行する遊技機。
【請求項２】
特定遊技状態を含む複数の遊技状態のいずれかに遊技状態を移行させる遊技状態制御手段をさらに備え、
前記特典付与手段は、
前記特定遊技状態において前記カウンタ値が前記特定値に到達すると、前記第２の特典を遊技者に付与する請求項１または２に記載の遊技機。
【手続補正２】
【補正対象書類名】明細書
【補正対象項目名】０００９
【補正方法】変更
【補正の内容】
【０００９】
上記課題を解決するために、本発明の遊技機は、スタートスイッチの操作に基づき、当選役の当否を決定する当選種別抽選手段と、前記スタートスイッチの操作に応じて、複数種類の図柄がそれぞれ配列された複数のリールを回転制御し、回転しているリールに対応するストップスイッチの操作に応じ、前記当選種別抽選手段の抽選結果に基づいて、操作された前記ストップスイッチに対応するリールをそれぞれ停止制御するリール制御手段と、第１の特典、および、前記第１の特典よりも遊技者にとって特典が大きい第２の特典を付与する特典付与手段と、遊技の進行に応じて演出の実行を決定し、決定した演出を実行する演出実行手段と、を備え、前記特典付与手段は、所定の条件を満たすとカウントされるカウンタ値が特定値に到達すると、所定の特典を遊技者に付与し、前記演出実行手段は、前記第１の特典または前記第２の特典が付与される場合、前記第１の特典または前記第２の特典が付与されることを示唆する特定演出を実行し、前記カウンタ値が前記特定値よりも前に到達する所定値に到達すると、前記第１の特典が付与される場合に前記特定演出の実行頻度を減らし、前記第２の特典が付与される場合に前記特定演出を実行する。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】変更
【補正の内容】
【００１１】
特定遊技状態を含む複数の遊技状態のいずれかに遊技状態を移行させる遊技状態制御手段をさらに備え、前記特典付与手段は、前記特定遊技状態において前記カウンタ値が前記特定値に到達すると、前記第２の特典を遊技者に付与するとよい。
【手続補正書】
【提出日】令和3年11月16日(2021.11.16)
【手続補正１】
【補正対象書類名】特許請求の範囲
【補正対象項目名】全文
【補正方法】変更
【補正の内容】
【特許請求の範囲】
【請求項１】
第１情報表示手段と、
第２情報表示手段と、
投入口から投入された遊技媒体が通過する通路中に設けられ、遊技媒体を検知し得る検知手段Ａ、検知手段Ｂ、及び検知手段Ｃ（検知手段Ｂは、検知手段Ａより下流側に位置し、検知手段Ｃは検知手段Ｂより下流側に位置する）と、を備え、
ベット数が「３」であり、クレジット数が所定値（所定値はクレジット数の上限値未満の値）である状況にて、投入口から遊技媒体が投入される場合において、当該遊技媒体に対する検知手段Ａと検知手段Ｂの検知結果が所定条件を満たすと、クレジット数に「１」を加算し得るよう構成されており、
ベット数が「３」であり、クレジット数が所定値（所定値はクレジット数の上限値未満の値）である状況にて、電源の供給が遮断される事象が発生した時から、当該電源の供給が遮断される事象を検知し、電源断処理を実行する時までの期間の設計値をＴ１とし、
ベット数が「３」であり、クレジット数が所定値（所定値はクレジット数の上限値未満の値）である状況にて、投入口から遊技媒体が投入される場合において、当該遊技媒体を検知手段Ｂが検知しなくなった時から、当該遊技媒体を検知手段Ｃが検知した時までの期間の設計値をＴ２としたとき、
Ｔ１＜Ｔ２となっており、
遊技区間として、第１区間と、第２区間と、を有し、
第２区間であって、内部抽せん手段によって特定抽せん結果が決定された遊技では、第１情報表示手段にストップスイッチの有利な操作態様が表示され得るよう構成されており、
第２区間であって、内部抽せん手段によって特定抽せん結果が決定された遊技では、第２情報表示手段にストップスイッチの有利な操作態様が表示され得るよう構成されており、
最小遊技期間が経過している所定の状況下でスタートスイッチの操作が受け付けられて実行された内部抽せん手段によって特定抽せん結果が決定された第１の遊技では、第１情報表示手段にストップスイッチの有利な操作態様に関する情報が表示された後に、第２情報表示手段にストップスイッチの有利な操作態様に関する情報が表示されるよう構成されており、
最小遊技期間が経過していない特定の状況下でスタートスイッチの操作が受け付けられて実行された内部抽せん手段によって特定抽せん結果が決定された第２の遊技では、第２情報表示手段にストップスイッチの有利な操作態様に関する情報が表示された後に、第１情報表示手段にストップスイッチの有利な操作態様に関する情報が表示される場合を有するよう構成されている遊技機。
【手続補正２】
【補正対象書類名】明細書
【補正対象項目名】０００５
【補正方法】変更
【補正の内容】
【０００５】
本態様に係る遊技機は、
第１情報表示手段と、
第２情報表示手段と、
投入口から投入された遊技媒体が通過する通路中に設けられ、遊技媒体を検知し得る検知手段Ａ、検知手段Ｂ、及び検知手段Ｃ（検知手段Ｂは、検知手段Ａより下流側に位置し、検知手段Ｃは検知手段Ｂより下流側に位置する）と、を備え、
ベット数が「３」であり、クレジット数が所定値（所定値はクレジット数の上限値未満の値）である状況にて、投入口から遊技媒体が投入される場合において、当該遊技媒体に対する検知手段Ａと検知手段Ｂの検知結果が所定条件を満たすと、クレジット数に「１」を加算し得るよう構成されており、
ベット数が「３」であり、クレジット数が所定値（所定値はクレジット数の上限値未満の値）である状況にて、電源の供給が遮断される事象が発生した時から、当該電源の供給が遮断される事象を検知し、電源断処理を実行する時までの期間の設計値をＴ１とし、
ベット数が「３」であり、クレジット数が所定値（所定値はクレジット数の上限値未満の値）である状況にて、投入口から遊技媒体が投入される場合において、当該遊技媒体を検知手段Ｂが検知しなくなった時から、当該遊技媒体を検知手段Ｃが検知した時までの期間の設計値をＴ２としたとき、
Ｔ１＜Ｔ２となっており、
遊技区間として、第１区間と、第２区間と、を有し、
第２区間であって、内部抽せん手段によって特定抽せん結果が決定された遊技では、第１情報表示手段にストップスイッチの有利な操作態様が表示され得るよう構成されており、
第２区間であって、内部抽せん手段によって特定抽せん結果が決定された遊技では、第２情報表示手段にストップスイッチの有利な操作態様が表示され得るよう構成されており、
最小遊技期間が経過している所定の状況下でスタートスイッチの操作が受け付けられて実行された内部抽せん手段によって特定抽せん結果が決定された第１の遊技では、第１情報表示手段にストップスイッチの有利な操作態様に関する情報が表示された後に、第２情報表示手段にストップスイッチの有利な操作態様に関する情報が表示されるよう構成されており、
最小遊技期間が経過していない特定の状況下でスタートスイッチの操作が受け付けられて実行された内部抽せん手段によって特定抽せん結果が決定された第２の遊技では、第２情報表示手段にストップスイッチの有利な操作態様に関する情報が表示された後に、第１情報表示手段にストップスイッチの有利な操作態様に関する情報が表示される場合を有するよう構成されている遊技機である。
＜付記＞
尚、本態様とは異なる別態様について以下に列記しておくが、これらには何ら限定されることなく実施することが可能である。
本別態様に係る遊技機は、
複数のリールと、
スタートレバーと、
ベットボタンと、
メダル投入口と、
所定のエラー状態を解除可能なエラーリセットボタンと、
エラーリセットボタンのオン・オフを検出可能なエラーリセットボタンセンサと、
内部抽せん手段と
を備え、
エラーリセットボタンがオンである状況においては、スタートレバーの操作の受け付けが無効であり、ベットボタンの操作によってはベットされず、メダル投入口からの遊技メダルの投入によってはベットされ得るよう構成されている
ことを特徴とする遊技機である。
【手続補正書】
【提出日】令和3年11月25日(2021.11.25)
【手続補正１】
【補正対象書類名】特許請求の範囲
【補正対象項目名】全文
【補正方法】変更
【補正の内容】
【特許請求の範囲】
【請求項１】
遊技を制御可能な遊技制御手段と、
所定の表示を制御可能な演出制御手段と、を備える遊技機において、
前記演出制御手段は、
所定期間における遊技の結果を示唆する示唆表示を実行可能とし、
前記所定期間における遊技の結果に対する評価を示唆する評価表示を実行可能とし、
前記所定期間における遊技の結果に基づいて特別演出を実行可能とし、
前記評価表示の表示態様には、第１表示態様と、前記第１表示態様よりも前記所定期間における遊技の結果に対する評価が高いことを示唆する第２表示態様とがあり、
前記特別演出の実行回数が第１回数である場合よりも、前記第１回数よりも多い第２回数である場合のほうが、前記第２表示態様の前記評価表示が実行され易いことを特徴とする遊技機。
【請求項２】
請求項１に記載の遊技機において、
前記演出制御手段は、
前記評価表示を実行する場合に、前記所定期間における前記特別演出の実行回数を示唆する表示を実行可能であることを特徴とする遊技機。
【請求項３】
請求項１または請求項２に記載の遊技機において、
前記遊技制御手段は、
所定の条件が成立すると、遊技者に有利な特別遊技を実行し、
前記遊技の結果とは、前記特別遊技の実行回数であることを特徴とする遊技機。
【請求項４】
請求項１または請求項２に記載の遊技機において、
前記遊技制御手段は、
所定の条件が成立すると、遊技者に有利な特別遊技を実行し、
前記遊技の結果とは、前記特別遊技で獲得した賞球数であることを特徴とする遊技機。
【請求項５】
請求項１または請求項２に記載の遊技機において、
前記遊技制御手段は、
所定の条件が成立すると、遊技者にとって有利さが異なる複数種類の特別遊技のうちから、一の特別遊技を実行可能とし、
前記遊技の結果は、実行された特別遊技の種類であることを特徴とする遊技機。
【手続補正２】
【補正対象書類名】明細書
【補正対象項目名】０００６
【補正方法】変更
【補正の内容】
【０００６】
本発明の遊技機は、
遊技を制御可能な遊技制御手段と、
所定の表示を制御可能な演出制御手段と、を備える遊技機において、
前記演出制御手段は、
所定期間における遊技の結果を示唆する示唆表示を実行可能とし、
前記所定期間における遊技の結果に対する評価を示唆する評価表示を実行可能とし、
前記所定期間における遊技の結果に基づいて特別演出を実行可能とし、
前記評価表示の表示態様には、第１表示態様と、前記第１表示態様よりも前記所定期間における遊技の結果に対する評価が高いことを示唆する第２表示態様とがあり、
前記特別演出の実行回数が第１回数である場合よりも、前記第１回数よりも多い第２回数である場合のほうが、前記第２表示態様の前記評価表示が実行され易いことを特徴とする遊技機である。
【手続補正書】
【提出日】令和3年12月6日(2021.12.6)
【手続補正１】
【補正対象書類名】特許請求の範囲
【補正対象項目名】全文
【補正方法】変更
【補正の内容】
【特許請求の範囲】
【請求項１】
酸化セリウム粒子（成分Ａ）と、水溶性高分子（成分Ｂ）と、アニオン性縮合物（成分Ｃ）と、水系媒体とを含有し、
成分Ｂは、下記式（Ｉ）で表される構成単位ｂ１を含む重合体であり、
式（Ｉ）で表される構成単位ｂ１がメタクリロイルオキシエチルホスホベタイン構造を含むモノマー由来の構成単位である、酸化珪素膜用研磨液組成物。
【化１】
2021005704.tif 000001
式（Ｉ）中、Ｒ1、Ｒ2、Ｒ3、Ｒ4、Ｒ5及びＲ6は同一又は異なって、水素原子、メチル基又はエチル基を示し、Ｘ1はＯ又はＮＨを示し、Ｙ1及びＹ2は同一又は異なって、炭素数１以上４以下のアルキレン基を示す。
【請求項２】
成分Ｂは、前記式（Ｉ）で表される構成単位ｂ１と、下記式（ＩＩ）で表される構成単位、下記式（ＩＩＩ）で表される構成単位、及び下記式（ＩＶ）で表される構成単位から選ばれる少なくとも１種の構成単位ｂ２とを含む共重合体である、請求項１に記載の研磨液組成物。
【化２】
2021005704.tif 000002
式（ＩＩ）中、Ｒ7、Ｒ8及びＲ9は同一又は異なって、水素原子、メチル基又はエチル基を示し、Ｘ2はＯ又はＮＨを示し、Ｒ10は炭化水素基を示す。
式（ＩＩＩ）中、Ｒ11、Ｒ12及びＲ13は同一又は異なって、水素原子、メチル基又はエチル基を示し、Ｒ14は水素原子、ヒドロキシル基、炭化水素基又はアルコキシ基を示す。  式（ＩＶ）中、Ｒ15、Ｒ16及びＲ17は同一又は異なり、水素原子、メチル基又はエチル基を示し、ｎは２〜１２の整数を示す。
【請求項３】
成分Ｂが、前記式（Ｉ）で表される構成単位ｂ１からなるホモポリマーである、請求項１に記載の研磨液組成物。
【請求項４】
成分Ｃは、アニオン性基を有するホルムアルデヒド縮合物である、請求項１から３のいずれかに記載の研磨液組成物。
【請求項５】
成分Ｃは、芳香環を主鎖に含むアニオン性縮合物である、請求項１から４のいずれかに記載の研磨液組成物。
【請求項６】
成分Ｃは、アニオン性基を有する芳香族モノマー由来の構造を有する構成単位を含む縮合物である、請求項１から５のいずれかに記載の研磨液組成物。
【請求項７】
アニオン性基を有する芳香族モノマー由来の構造を有する構成単位は、主鎖を構成する芳香環の少なくとも１つの水素原子がスルホン酸基に置換された構造を有する、請求項６に記載の研磨液組成物。
【請求項８】
成分Ｃが、下記式（Ｖ）で表される構成単位ｃ１、及び下記式（ＶＩ）で表される構成単位ｃ２から選ばれる少なくとも１種を更に含む、請求項６又は７に記載の研磨液組成物。
【化３】
2021005704.tif 000003
式（Ｖ）中、Ｒ18及びＲ19は同一又は異なって、水素原子又は−ＯＭ1を示し、Ｍ1はアルカリ金属、アルカリ土類金属、有機カチオン、アンモニウム及び水素原子から選ばれる少なくとも１種を示し、Ｒ20及びＲ21は同一又は異なって、水素原子、アルキル基、アルコキシ基、アラルキル基又は−ＯＭ2を示し、Ｍ2はアルカリ金属、アルカリ土類金属、有機カチオン、アンモニウム及び水素原子から選ばれる少なくとも１種であり、Ｘ3は、結合手、−ＣＨ2−、−Ｓ−、−ＳＯ2−、−Ｃ（ＣＨ3）2−、又は
【化４】
2021005704.tif 000004
である。
式（ＶＩ）中、Ｒ22は水素原子又は−ＯＭ3を示し、Ｍ3はアルカリ金属、アルカリ土類金属、有機カチオン、アンモニウム及び水素原子から選ばれる少なくとも１種であり、Ｒ23は水素原子、アルキル基、アルコキシ基、アラルキル基、又は−ＯＭ4を示し、Ｍ4はアルカリ金属、アルカリ土類金属、有機カチオン、アンモニウム及び水素原子から選ばれる少なくとも１種である。
【請求項９】
成分Ｃの含有量が０．００１質量％以上１質量％以下である、請求項１から８のいずれかに記載の研磨液組成物。
【請求項１０】
成分Ｂと成分Ｃとの質量比Ｂ／Ｃが０．１以上２０以下である、請求項１から９のいずれかに記載の研磨液組成物。
【請求項１１】
成分Ｃの分子量が６，０００以下である、請求項１から１０のいずれかに記載の研磨液組成物。
【請求項１２】
成分Ａの含有量が０．００１質量％以上１０質量％以下である、請求項１から１１のいずれかに記載の研磨液組成物。
【請求項１３】
下記式（ＶＩＩ）で表される基を有する化合物（成分Ｄ）をさらに含有する、請求項１から１２のいずれかに記載の研磨液組成物。
−［（ＣＨＸ）p−Ｏ］q−      （ＶＩＩ）
式（ＶＩＩ）中、Ｘは水素原子又はＯＨを示し、ｐは２以上５以下の数を示し、ｑは５以上１０，０００以下の数を示す。ただし、ｐが２以上の場合、Ｘは同一でもよいし異なっていてもよい。
【請求項１４】
成分Ｄがポリエチレングリコール又はポリグリセリンである、請求項１３に記載の研磨液組成物。
【請求項１５】
請求項１から１４のいずれかに記載の研磨液組成物を用いて被研磨膜を研磨する工程を含む、半導体基板の製造方法。
【請求項１６】
請求項１から１４のいずれかに記載の研磨液組成物を用いて被研磨膜を研磨する工程を含む、研磨方法。
【手続補正書】
【提出日】令和3年11月25日(2021.11.25)
【手続補正１】
【補正対象書類名】特許請求の範囲
【補正対象項目名】全文
【補正方法】変更
【補正の内容】
【特許請求の範囲】
【請求項１】
複数の患者のそれぞれについて、個別の患者に対して処方された薬剤の種類に関する処方情報と、前記個別の患者の疾患の種類に関する疾患情報との組み合わせを取得する取得手段と、
前記複数の患者についての前記組み合わせを用いて統計解析を行うことによって、１種類以上の薬剤を処方された患者の疾患を推定するための推定関数を決定する決定手段と、
を備える情報処理装置。
【請求項２】
前記取得手段は、前記複数の患者のそれぞれについて、前記個別の患者の年齢区分を更に取得し、
前記決定手段は、前記複数の患者についての前記組み合わせ及び年齢区分を用いて前記統計解析を行う、請求項１に記載の情報処理装置。
【請求項３】
前記取得手段は、前記複数の患者のそれぞれについて、前記個別の患者の性別を更に取得し、
前記決定手段は、前記複数の患者についての前記組み合わせ及び性別を用いて前記統計解析を行う、請求項１に記載の情報処理装置。
【請求項４】
前記取得手段は、前記複数の患者のそれぞれについて、前記個別の患者の年齢区分及び性別を更に取得し、
前記決定手段は、前記複数の患者についての前記組み合わせ、年齢区分及び性別を用いて前記統計解析を行う、請求項１に記載の情報処理装置。
【請求項５】
前記取得手段は、薬剤の種類と、当該種類の薬剤を使用可能な疾患の種類とが関連付けられた適応症情報を更に取得し、
前記決定手段は、前記適応症情報に合致しない前記組み合わせを前記統計解析に使用しない、請求項１乃至４の何れか１項に記載の情報処理装置。
【請求項６】
薬剤の種類を含む入力情報を取得する入力手段と、
前記入力情報に前記推定関数を適用することによって疾患を推定する推定手段と、
前記推定手段による推定結果を出力する出力手段と、
を更に備える、請求項１乃至５のいずれか１項に記載の情報処理装置。
【請求項７】
前記推定結果は、複数種類の疾患のそれぞれについての罹患確率を含む、請求項６に記載の情報処理装置。
【請求項８】
請求項１乃至７の何れか１項に記載の情報処理装置の各手段としてコンピュータを機能させるためのプログラム。
【請求項９】
コンピュータによって実行される情報処理方法であって、
複数の患者のそれぞれについて、個別の患者に対して処方された薬剤の種類に関する処方情報と、前記個別の患者の疾患の種類に関する疾患情報との組み合わせを取得する取得工程と、
前記複数の患者についての前記組み合わせを用いて統計解析を行うことによって、１種類以上の薬剤を処方された患者の疾患を推定するための推定関数を決定する決定工程と、
を備える情報処理方法。
【手続補正２】
【補正対象書類名】明細書
【補正対象項目名】０００５
【補正方法】変更
【補正の内容】
【０００５】
上記課題に鑑みて、一部の実施形態では、複数の患者のそれぞれについて、個別の患者に対して処方された薬剤の種類に関する処方情報と、前記個別の患者の疾患の種類に関する疾患情報との組み合わせを取得する取得手段と、前記複数の患者についての前記組み合わせを用いて統計解析を行うことによって、１種類以上の薬剤を処方された患者の疾患を推定するための推定関数を決定する決定手段と、を備える情報処理装置が提供される。
【手続補正書】
【提出日】令和3年11月29日(2021.11.29)
【手続補正１】
【補正対象書類名】特許請求の範囲
【補正対象項目名】全文
【補正方法】変更
【補正の内容】
【特許請求の範囲】
【請求項１】
セラミックの焼結体と、
前記焼結体内に設けられたアルミニウム又はアルミニウム合金の導電部材と、
を有し、
前記焼結体を構成するセラミックのうち９６質量％以上が酸化アルミニウムであることを特徴とするセラミック部材。
【請求項２】
前記焼結体に前記導電部材まで達する孔が形成されていることを特徴とする請求項１に記載のセラミック部材。
【請求項３】
前記焼結体の相対密度が９０％以上であることを特徴とする請求項１又は２に記載のセラミック部材。
【請求項４】
アルミニウム又はアルミニウム合金の金属膜を第１のグリーンシートと第２のグリーンシートとで挟み込む工程と、
前記金属膜の融点以上の温度で前記第１のグリーンシート及び前記第２のグリーンシートの焼成を行ってセラミックの焼結体を得る工程と、
を有し、
前記第１のグリーンシート若しくは前記第２のグリーンシート又はこれらの両方の前記金属膜と接する面の一部に空隙が設けられていることを特徴とするセラミック部材の製造方法。
【請求項５】
前記焼成を酸化性雰囲気中で行うことを特徴とする請求項４に記載のセラミック部材の製造方法。
【請求項６】
前記焼成を大気雰囲気中で行うことを特徴とする請求項５に記載のセラミック部材の製造方法。
【請求項７】
前記焼成を７００℃以上１６００℃以下の温度で行うことを特徴とする請求項４乃至６のいずれか１項に記載のセラミック部材の製造方法。
【請求項８】
前記焼成を１３００℃以上１６００℃以下の温度で行うことを特徴とする請求項７に記載のセラミック部材の製造方法。
【手続補正２】
【補正対象書類名】明細書
【補正対象項目名】０００６
【補正方法】変更
【補正の内容】
【０００６】
本開示の一形態によれば、セラミックの焼結体と、前記焼結体内に設けられたアルミニウム又はアルミニウム合金の導電部材と、を有し、前記焼結体を構成するセラミックのうち９６質量％以上が酸化アルミニウムであるセラミック部材が提供される。
【手続補正書】
【提出日】令和3年11月16日(2021.11.16)
【手続補正１】
【補正対象書類名】特許請求の範囲
【補正対象項目名】全文
【補正方法】変更
【補正の内容】
【特許請求の範囲】
【請求項１】
複数の撮影装置にて撮影されることにより取得される複数の画像に基づいて生成される仮想視点画像であって、当該仮想視点画像に対応する仮想カメラの位置が特定される操作情報を取得する取得手段と、
前記仮想カメラの操作に関する所定条件が満たされた場合、前記操作情報に基づいて特定された前記仮想カメラの位置を予め定められた経路上へと遷移させる制御を行う制御手段と、
を備えたことを特徴とする情報処理装置。
【請求項２】
前記所定条件は、前記仮想カメラの位置が、予め設定された範囲内に位置することである、ことを特徴とする請求項１に記載の情報処理装置。
【請求項３】
前記予め定められた経路は、遷移対象候補となる複数の遷移候補位置を有することを特徴とする請求項１または２に記載の情報処理装置。
【請求項４】
前記制御手段は、前記仮想カメラの位置と前記遷移候補位置とに基づいて、前記予め定められた経路へと遷移させるための経路を求めることを特徴とする請求項３に記載の情報処理装置。
【請求項５】
前記予め定められた経路は、撮影シーンに応じて前記仮想カメラが移動するように作成されたものであることを特徴とする請求項１乃至４のいずれか１項に記載の情報処理装置。
【請求項６】
前記撮影シーンは、予め定められたコースで競技を行う被写体を撮影するシーンであり、
前記予め定められた経路は、前記コースに沿って前記仮想カメラが移動するように作成されたものであることを特徴とする請求項５に記載の情報処理装置
【請求項７】
前記操作情報は、前記仮想カメラの位置、姿勢、ズームの要素を含み、
前記要素のうち少なくとも１つの要素について、前記予め定められた経路への遷移の前後において変化し得る範囲が異なる、
ことを特徴とする請求項１乃至６のいずれか１項に記載の情報処理装置。
【請求項８】
前記遷移の前後において、前記要素が変化し得る範囲の最大値が異なることを特徴とする請求項７に記載の情報処理装置。
【請求項９】
前記所定条件は、前記仮想カメラの位置が、前記遷移候補位置に対し一定距離以内に位置することである、ことを特徴とする請求項３または４に記載の情報処理装置。
【請求項１０】
前記所定条件は、前記仮想カメラの位置を前記予め定められた経路に遷移させる操作情報を取得することである、ことを特徴とする請求項１乃至９のいずれか１項に記載の情報処理装置。
【請求項１１】
前記操作情報によって、前記仮想カメラの位置に加え当該仮想カメラの姿勢も特定され、
前記所定条件は、前記仮想カメラの姿勢を表すパン、チルト、ロールの少なくとも１つが、予め設定された値と一致または予め設定された範囲内に収まる、
ことを特徴とする請求項1乃至１０のいずれか１項に記載の情報処理装置。
【請求項１２】
前記操作情報に基づき、前記仮想カメラの視点を規定するカメラパラメータを生成する生成手段と、
前記所定条件が満たされたか否かを、前記生成手段で生成された前記カメラパラメータと前記予め定められた経路とに基づいて判定する判定手段と、
をさらに備えることを特徴とする請求項１乃至１１のいずれか１項に記載の情報処理装置。
【請求項１３】
前記制御手段は、前記所定条件とは異なる、前記予め定められた経路から離れるための離脱条件を満たす場合、前記仮想カメラの位置を前記予め定められた経路から離れさせることを特徴とする請求項１乃至１２のいずれか１項に記載の情報処理装置。
【請求項１４】
前記離脱条件は、前記仮想カメラの位置を前記予め定められた経路から離れる操作情報を取得することを特徴とする請求項１３に記載の情報処理装置。
【請求項１５】
前記操作情報は、外部装置から通信装置を経由して入力されることを特徴とする請求項１乃至１４のいずれか１項に記載の情報処理装置。
【請求項１６】
前記仮想カメラの位置と前記予め定められた経路とを含む情報をＵＩ画面に表示する表示手段をさらに備えることを特徴とする請求項１乃至１５のいずれか１項に記載の情報処理装置。
【請求項１７】
前記ＵＩ画面は、前記仮想カメラの姿勢に関する情報を含むことを特徴とする請求項１６に記載の情報処理装置。
【請求項１８】
前記ＵＩ画面は、遷移対象候補となる複数の遷移候補位置から一定距離以内の範囲を示す情報を含むことを特徴とする請求項１６または１７のいずれか１項に記載の情報処理装置。
【請求項１９】
複数の撮影装置にて撮影されることにより取得される複数の画像に基づいて生成される仮想視点画像に対応する仮想カメラの制御方法であって、
前記仮想カメラの操作情報を取得するステップと、
所定条件が満たされた場合、前記操作情報に基づいて特定された前記仮想カメラの位置を、予め定められた経路へと遷移させるステップと、
を含むことを特徴とする制御方法。
【請求項２０】
コンピュータを、請求項１乃至１８のいずれか１項に記載の情報処理装置として機能さ
せるためのプログラム。
【手続補正２】
【補正対象書類名】明細書
【補正対象項目名】０００７
【補正方法】変更
【補正の内容】
【０００７】
本発明に係る情報処理装置は、複数の撮影装置にて撮影されることにより取得される複数の画像に基づいて生成される仮想視点画像であって、当該仮想視点画像に対応する仮想カメラの位置が特定される操作情報を取得する取得手段と、前記仮想カメラの操作に関する所定条件が満たされた場合、前記操作情報に基づいて特定された前記仮想カメラの位置を予め定められた第１の経路上へと遷移させる制御を行う制御手段と、を備えたことを特徴とする。
【手続補正書】
【提出日】令和3年11月29日(2021.11.29)
【手続補正１】
【補正対象書類名】特許請求の範囲
【補正対象項目名】全文
【補正方法】変更
【補正の内容】
【特許請求の範囲】
【請求項１】
蛍光を含む光線束を射出する光源装置と、
前記蛍光の少なくとも一部の光路上に設けられるバンドパスフィルターと、
前記光線束が入射するインテグレーターユニットと、
前記インテグレーターユニットの後段に設けられ、前記インテグレーターユニットにより前記光線束を分割した複数の光束を互いに異なる位置に入射させる重畳レンズと、
複数のサブ画素からなる画素を複数含む光変調装置と、
前記複数の画素に対応する複数のマイクロレンズを含むマイクロレンズアレイと、
前記光変調装置から射出される光を投射する投射光学装置と、を備える
プロジェクター。
【請求項２】
前記バンドパスフィルターは、前記光路上に位置する第１の位置と、前記光路と重ならない第２の位置との間を移動可能である
請求項１に記載のプロジェクター。
【請求項３】
前記バンドパスフィルターを前記第１の位置と前記第２の位置との間で移動させる移動装置をさらに備える
請求項２に記載のプロジェクター。
【請求項４】
前記移動装置は、画像を表示させる画像表示モードに応じて、前記バンドパスフィルターの位置を前記第１の位置と前記第２の位置との間で切り替える
請求項３に記載のプロジェクター。
【請求項５】
前記蛍光は少なくとも緑色光を含む
請求項１から４のいずれか一項に記載のプロジェクター。
【請求項６】
前記蛍光は前記緑色光と黄色光とを含み、
前記バンドパスフィルターは、少なくとも前記黄色光の光路上に設けられる
請求項５に記載のプロジェクター。
【請求項７】
前記光源装置は、前記蛍光を平行化する平行化光学系を含み、
前記平行化光学系により平行化された前記蛍光が前記バンドパスフィルターに入射する
請求項１から６のいずれか一項に記載のプロジェクター。
【請求項８】
前記バンドパスフィルターは、前記蛍光の色純度または明るさを調整するために、前記第１の位置と、前記第２の位置との間を移動する、
請求項２から４のいずれか一項に記載のプロジェクター。
【請求項９】
前記光源装置は、複数の光源ユニットを有し、前記光変調装置への各光源ユニットからの光路長に差が無い、
請求項１から８のいずれか一項に記載のプロジェクター。